【手続補正書】
【提出日】平成25年6月14日(2013.6.14)
【手続補正１】
【補正対象書類名】特許請求の範囲
【補正対象項目名】全文
【補正方法】変更
【補正の内容】
【特許請求の範囲】
【請求項１】
被検査物に光を照射することにより得られる複数のフレームの信号をフーリエ変換して複数の複素数のデータを得る手段と、
前記複数の複素数のデータを複数の実数のデータに変換する手段と、
前記複数の実数のデータを用いて前記複数のフレームに対して測定エラーであるか否かを判断する手段と、
前記複数のフレームのうち、前記測定エラーであると判断されたフレーム以外の複数のフレームに対応する複数の複素数のデータを平均する手段と、
を有することを特徴とする画像生成装置。
【請求項２】
前記複数のフレームから前記測定エラーであると判断されたフレームを間引く手段を有し、
前記平均する手段は、前記間引かれた後の複数のフレームに対応する複数の複素数のデータを平均することを特徴とする請求項１に記載の画像生成装置。
【請求項３】
前記判断する手段は、フレーム内での歪によるデータの抜けを前記測定エラーであると判断することを特徴とする請求項１または２に記載の画像生成装置。
【請求項４】
前記被検査物は眼であり、
前記判断する手段は、眼を閉じることによるデータの抜けを前記測定エラーであると判断することを特徴とする請求項１または２に記載の画像生成装置。
【請求項５】
前記平均する手段は、前記複数のフレーム間の平行移動と回転移動とのうち少なくとも一方の情報に基づいて、前記複数の複素数のデータを平均することを特徴とする請求項１乃至４のいずれか１項に記載の画像生成装置。
【請求項６】
前記被検査物は眼であり、
前記移動は前記眼の固視微動によって生じることを特徴とする請求項５に記載の画像生成装置。
【請求項７】
前記平均する手段は、前記複数の複素数のデータに加算平均及び２乗平均のいずれかを行うことを特徴とする請求項１乃至６のいずれか１項に記載の画像生成装置。
【請求項８】
前記被検査物は眼であり、
前記複数のフレームは、それぞれ眼の光軸と交差する方向において異なる位置で得られ、
前記フレーム間の位置の差は、横分解能の数倍以下であることを特徴とする請求項１乃至７のいずれか１項に記載の画像生成装置。
【請求項９】
前記平均された複素数のデータに基づいて画像を生成する手段を更に有することを特徴とする請求項１乃至８のいずれか１項に記載の画像生成装置。
【請求項１０】
前記生成する手段は断層画像を前記画像として生成し、
さらに前記断層画像を表示装置に表示させる手段を有することを特徴とする請求項９に記載の画像生成装置。
【請求項１１】
前記平均された複素数のデータを実数に変換する手段を有し、
前記生成する手段は、前記実数に変換されたデータを前記画像として生成することを特徴とする請求項９または１０に記載の画像生成装置。
【請求項１２】
コンピュータを、請求項１乃至１１のいずれか１項に記載の画像生成装置の各手段として実行させることを特徴とするプログラム。
【請求項１３】
被検査物に光を照射することにより得られる複数のフレームの信号をフーリエ変換して複数の複素数のデータを得る手段と、
前記複数の複素数のデータを複数の実数のデータに変換する手段と、
前記複数の実数のデータを用いて前記複数のフレームに対して測定エラーであるか否かを判断する手段と、
前記複数のフレームのうち、前記測定エラーであると判断されたフレーム以外の複数のフレームに対応する複数の複素数のデータを平均する手段と、
を有することを特徴とする画像生成システム。
【請求項１４】
前記複数のフレームから前記測定エラーであると判断されたフレームを間引く手段を有し、
前記平均する手段は、前記間引かれた後の複数のフレームに対応する複数の複素数のデータを平均することを特徴とする請求項１３に記載の画像生成システム。
【請求項１５】
前記判断する手段は、フレーム内での歪によるデータの抜けを前記測定エラーであると判断することを特徴とする請求項１３または１４に記載の画像生成システム。
【請求項１６】
前記被検査物は眼であり、
前記判断する手段は、眼を閉じることによるデータの抜けを前記測定エラーであると判断することを特徴とする請求項１３または１４に記載の画像生成システム。
【請求項１７】
前記複数の複素数のデータをコンピュータに転送する手段を有し、
前記平均する手段は、コンピュータに転送された後に前記複数の複素数のデータを平均することを特徴とする請求項１３乃至１６のいずれか１項に記載の画像生成システム。
【請求項１８】
コンピュータを、請求項１３乃至１７のいずれか１項に記載の画像生成システムの各手段として実行させることを特徴とするプログラム。
【請求項１９】
被検査物に光を照射することにより得られる複数のフレームの信号をそれぞれフーリエ変換して複数の複素数のデータを得る工程と、
前記複数の複素数のデータを複数の実数のデータに変換する工程と、
前記複数の実数のデータを用いて前記複数のフレームに対して測定エラーであるか否かを判断する工程と、
前記複数のフレームのうち、前記測定エラーであると判断されたフレーム以外の複数のフレームに対応する複数の複素数のデータを平均する工程と、
を有することを特徴とする画像生成方法。
【請求項２０】
前記複数のフレームから前記測定エラーであると判断されたフレームを間引く工程を有し、
前記平均する工程では、前記間引かれた後の複数のフレームに対応する複数の複素数のデータを平均することを特徴とする請求項１９に記載の画像生成方法。
【請求項２１】
前記判断する工程では、フレーム内での歪によるデータの抜けを前記測定エラーであると判断することを特徴とする請求項１９または２０に記載の画像生成方法。
【請求項２２】
前記被検査物は眼であり、
前記判断する工程では、眼を閉じることによるデータの抜けを前記測定エラーであると判断することを特徴とする請求項１９または２０に記載の画像生成方法。
【請求項２３】
請求項１９乃至２２のいずれか１項に記載の画像生成方法の各工程をコンピュータに実行させることを特徴とするプログラム。
【手続補正２】
【補正対象書類名】明細書
【補正対象項目名】発明の名称
【補正方法】変更
【補正の内容】
【発明の名称】画像生成装置、画像生成システム及び画像生成方法
【手続補正３】
【補正対象書類名】明細書
【補正対象項目名】０００８
【補正方法】変更
【補正の内容】
【０００８】
つまり、本発明の画像生成装置は、被検査物に光を照射することにより得られる複数のフレームの信号をそれぞれフーリエ変換して複数の複素数のデータを得る手段と、前記複数の複素数のデータを複数の実数のデータに変換する手段と、前記複数の実数のデータを用いて前記複数のフレームに対して測定エラーであるか否かを判断する手段と、前記複数のフレームのうち、前記測定エラーであると判断されたフレーム以外の複数のフレームに対応する複数の複素数のデータを平均する手段と、を有することを特徴とする。
また、本発明の画像生成システムは、被検査物に光を照射することにより得られる複数のフレームの信号をそれぞれフーリエ変換して複数の複素数のデータを得る手段と、前記複数の複素数のデータを複数の実数のデータに変換する手段と、前記複数の実数のデータを用いて前記複数のフレームに対して測定エラーであるか否かを判断する手段と、前記複数のフレームのうち、前記測定エラーであると判断されたフレーム以外の複数のフレームに対応する複数の複素数のデータを平均する手段と、を有することを特徴とする。
【手続補正４】
【補正対象書類名】明細書
【補正対象項目名】０００９
【補正方法】変更
【補正の内容】
【０００９】
また、本発明の画像生成方法は、被検査物に光を照射することにより得られる複数のフレームの信号をそれぞれフーリエ変換して複数の複素数のデータを得る工程と、前記複数の複素数のデータを複数の実数のデータに変換する工程と、前記複数の実数のデータを用いて前記複数のフレームに対して測定エラーであるか否かを判断する工程と、前記複数のフレームのうち、前記測定エラーであると判断されたフレーム以外の複数のフレームに対応する複数の複素数のデータを平均する工程と、を有することを特徴とする。